(57)【要約】【課題】  忌避剤による忌避対象場所を送電鉄塔又は電柱とし、施工が簡単であり、メンテナンスに際し作業者の邪魔になることがなく、又、落下したとしても重大事故にならず、しかも人体に安全であり、そして、特にカラス類を確実に忌避して飛来や営巣を原因とした電気事故を防止することができるカラス類忌避方法の提供。【解決手段】  粘着基剤に忌避成分を混合させて粘性組成物とした忌避剤を送電鉄塔又は電柱に設置させることでカラス類を忌避させるようにしたカラス類忌避方法である。忌避剤１を送電鉄塔Ａ又は電柱Ｂの電線支持点部付近における水平材２の上面に設置させる。【選択図】  図２
2007020457.tif 000002
【特許請求の範囲】
【請求項１】
粘着基剤に忌避成分を混合させて粘性組成物とした忌避剤を送電鉄塔又は電柱に設置させることでカラス類を忌避させるようにしたカラス類忌避方法であって、
前記忌避剤を送電鉄塔又は電柱の電線支持点部付近における水平材の上面に設置させることを特徴とするカラス類忌避方法。
【請求項２】
請求項１記載のカラス類忌避方法に使用する忌避用具であって、前記忌避剤を上面に付着させるプレートと、このプレートを前記水平材の上面に取り付けるための取付手段とを備えていることを特徴とする忌避用具。
【請求項３】
請求項２記載の忌避用具において、取付手段がプレートに取り付けたマグネットであり、このマグネットの吸着力によってプレートを水平材の上面に取り付けるようにした忌避用具。
【発明の詳細な説明】
【技術分野】
【０００１】
本発明は、送電鉄塔又は電柱へのカラス類の飛来や営巣を忌避剤を用いて防止するようにしたカラス類忌避方法及びそのカラス類忌避方法に用いる忌避用具に関する。
なお、本発明で言うカラス類とは、ハシブトガラス、ハシボソガラス、ワタリガラス、ミヤマガラス、コクマルガラス、それにカササギ（カチガラス）等、送電鉄塔又は電柱に飛来したり営巣したりするカラス類全般を含むものとする。
【背景技術】
【０００２】
カラス類が送電鉄塔や電柱に飛来して巣作りし、特に、電線の支持点部付近に営巣すると、営巣材料として運んできた針金等の金属類が碍子や電線上に落下し、地絡事故等の電気事故を発生させてしまうという問題がある。
このようなカラス類の飛来や営巣を原因とした電気事故に対し、従来から種々の対策が講じられてきた。
【０００３】
従来の鳥類忌避方法としては、テグスを張り巡らせることによって鳥類の飛来を防止させるもの（特許文献１参照）、塔体内に球体を吊り下げることで空間を巣作りが行えない程度に制限させるもの（特許文献２参照）、そのほか回転する風車とレンズを組み合わせて光の乱反射により鳥類を威嚇させるもの等、種々のものが提案されている。
【０００４】
しかしながら、これら従来の鳥類忌避方法は、いずれも物理的忌避用具を用いて鳥類の飛来や営巣を防止させるものであり、このような物理的忌避用具を用いても鳥類の学習能力により、忌避効果が十分に持続しないという問題があった。
また、メンテナンス等により送電鉄塔や電柱等に上って作業する際に、その忌避用具が作業者の邪魔な存在になり、作業に支障をきたすことがあるし、また、忌避用具が強風等により電線上に落下したり、地上に落下したりして、重大事故につながるといった問題もあった。
【０００５】
また、従来、物理的忌避用具を用いない鳥類忌避方法として、忌避剤を用いる方法が知られている。
この忌避剤は、粘着基剤に忌避成分を混合させて粘性組成物としたもので、粘着基剤を用いて粘状体（ゲル状、ジェル状、クリーム状、ジェリー状、軟膏状を含む）にすることで、収容袋から絞り出したり、コーキングガンによって押出したりして容易に設置作業を行なうことができるし、付着性（塗布性）も優れている。
又、粘性による触覚刺激、辛味（例えば、カプサイシン）による味覚刺激や痛覚刺激、香気（例えば、ミント）による嗅覚刺激等による複合的な刺激によって忌避効果を有し、かつ天然忌避成分を用いることで人体に無害であるといった優れた効果を有するものである（特許文献３参照）。
なお、上記のような忌避剤として、（商標）ハートジェル：有限会社広島県環境サービス製、（商標）Ｂ−ＳＴ：有限会社あんじん製、等が知られている。
【０００６】
しかしながら上記のような忌避剤は、鳩を忌避対象としたもので、建物のベランダ、アーケード、高架下、神社や寺等の庇部分等に設置され、カラス類の飛来や営巣場所となっている送電鉄塔や電柱に施工した例は見受けられない。
【特許文献１】特開平８−２９８７１４号公報
【特許文献２】特開２００１−２５８４６４号公報
【特許文献３】特開２００５−４７８６５号公報
【発明の開示】
【発明が解決しようとする課題】
【０００７】
本発明は、上記のような忌避剤がカラス類にも忌避効果を有するのか、との観点から実線路における設置試験の検証を行ない、カラス類に対しても従来の物理的忌避用具による忌避効果をはるかに凌ぐ忌避効果を有するとの結果を得たもので、この忌避剤を今迄は設置対象とされていない送電鉄塔又は電柱に設置させるようにしたものである。
これにより、施工が簡単であり、メンテナンスに際し作業者の邪魔になることがなく、又、落下したとしても重大事故にならず、しかも人体に安全であり、そして、特にカラス類を確実に忌避して飛来や営巣を原因とした電気事故を防止することができるカラス類忌避方法を提供することを第１の課題としている。
【０００８】
また、前記カラス類忌避方法において、忌避剤の設置が容易に行なえるようにした忌避用具を提供することを第２の課題としている。
【課題を解決するための手段】
【０００９】
上記第１の課題を解決するために、本発明（請求項１）のカラス類忌避方法は、
粘着基剤に忌避成分（触覚刺激成分、味覚刺激成分や痛覚刺激成分、嗅覚刺激成分等）を混合させて粘性組成物とした忌避剤を送電鉄塔又は電柱に設置させることでカラス類を忌避させるようにしたカラス類忌避方法であって、
前記忌避剤を送電鉄塔又は電柱の電線支持点部付近における水平材の上面に設置させる構成とした。
なお、このカラス類忌避方法において、忌避剤は、水平材の上面に直接に付着（塗布を含む）させてもよいし、以下のようにプレートを用いて水平材の上面に設置してもよい。
【００１０】
上記第２の課題を解決するために、本発明（請求項２）の忌避用具は、
請求項１記載のカラス類忌避方法に使用する忌避用具であって、前記忌避剤を上面に付着（塗布を含む）させるプレートと、このプレートを前記水平材の上面に取り付けるための取付手段とを備えている構成とした。
【００１１】
また、本発明（請求項３）の忌避用具は、
請求項２記載の忌避用具において、取付手段がプレートに取り付けたマグネットであり、このマグネットの吸着力によってプレートを水平材の上面に取り付けるようにした態様としている。
【発明の効果】
【００１２】
本発明では、忌避剤を送電鉄塔又は電柱に設置させたので、カラス類を忌避して、飛来や営巣を防止することができる。
特に、忌避剤を電線支持点部付近に設置させたので、電気事故の発生場所である電線支持点部付近への飛来や営巣を防止できる。言い換えれば、本発明では、電線支持点部付近以外の場所へのカラス類の飛来は許容している。
また、使用する忌避剤が、粘着基剤に忌避成分を混合させた粘性組成物であるため、収容袋やコーキングガンを用いて容易に絞り出したり、押出したりすることができ、また、その粘性によって水平材の上面に対して確実に付着（塗布）させることができる。
【００１３】
このように、本発明のカラス類忌避方法（請求項１）は、従来の物理的忌避用具を用いたものと異なり、施工が簡単であり、メンテナンスに際し作業者の邪魔になることがなく、又、設置する物が粘性組成物としての忌避剤であるため、これが落下したとしても重大事故にならず、しかも人体に安全であり、そして、特にカラス類を確実に忌避して飛来や営巣を原因とした電気事故を防止することができる。
【００１４】
本発明（請求項２）の忌避用具は、プレートを介して忌避剤を水平材の上面に設置するもので、このようにプレートを用いることで忌避剤を確実に保持した状態で水平材上に設置することができる。
【００１５】
特に、マグネットを用いてプレートを水平材の上面に取り付けるようにすると（請求項３）、マグネットの吸着力で設置することができ、その設置作業が極めて簡単になる。
又、予め安全な場所でプレート上に忌避剤を付着させてからその後にマグネットの吸着力でプレートを水平材の上面に取り付けることが可能になり、安全かつ能率的に忌避剤を設置することができる。
【発明を実施するための最良の形態】
【００１６】
図１は本発明のカラス類忌避方法を適用した送電鉄塔の概略図、図２はそのカラス類忌避方法の施工例を示す要部の平面図、図３はそのカラス類忌避方法に使用したプレートの斜視図である。
【００１７】
本実施例のカラス類忌避方法で使用した忌避剤１は、粘着基剤に忌避成分を混合させて粘性組成物としたもので、粘性による触覚刺激、辛味（例えば、カプサイシン）による味覚刺激や痛覚刺激、香気（例えば、ミント）による嗅覚刺激等による複合的な刺激によって忌避効果を有し、かつ植物由来の天然忌避成分を用いて人体に無害である、有限会社あんじん製の植物性忌避剤：（商標）Ｂ−ＳＴを用いた。
【００１８】
施工に際しては、上記の忌避剤１を送電鉄塔Ａの電線支持点部付近ａにおける水平材２の上面に設置させるもので、本発明で言う送電鉄塔の電線支持点部付近ａの水平材２とは、言葉のとおり鉄塔に対する電線の支持点部付近の水平材をいうもので、図１おいて破線で囲んだ領域内の水平材を指すものとする。
具体的には、図２で示すように塔体２０の上部で側方に張り出した腕金主材２１、腕金部の基部となる腕金側面材２２及び塔体内腕金主材（通称「かんざし」）２３、塔体内対角材２４を含む。
【００１９】
本実施例では、忌避剤１を電線支持点部付近ａの水平材２の上面にプレート３を用いて設置させるようにしている。
前記プレート３は、図３に示すように、直径５ｃｍ程度のプラスチック製の円形プレートの周縁に１〜１０ｍｍ程度の周壁３０が立設された浅底のトレーに形成され、その底面に、当該プレート３を前記水平材２の上面に取り付けるための取付手段であるマグネットシート３１が接着剤等で貼り付けられている。
なお、本発明で言うプレートには、実施例のような浅底のトレーに限らず、パレットや深さがない単なる平板等を含むもので、上面に忌避剤を付着させることができて、カラス類に対する忌避作用（触覚刺激、味覚刺激や痛覚刺激、嗅覚刺激等）を発揮できるようなものであればよく、その平面形状も円形に限らず、楕円形、正方形、短冊形等でもよい。
【００２０】
そして、本実施例では、忌避剤１を収容袋等から直径５ｃｍ、高さ１〜２ｃｍ程度の塊状にしてプレート３の上面に絞り出して付着させ、そのプレート３を電線支持点部付近ａの水平材２である腕金側面材２２及び塔体内腕金主材２３の上面に約２０ｃｍ程度の間隔を空けて配設させるようにしている。
この場合、プレート３の底面にマグネットシート３１が貼り付けられているため、このマグネットシート３１の吸着力によりワンタッチ動作でプレート３を設置させることができる。
なお、マグネットシート３１以外に、ブロック状マグネット等をプレート３に取り付けるようにしてもよく、要は、マグネットの吸着力でプレート３を水平材（鉄製）に取り付けることができるものであればよい。
【００２１】
なお、忌避剤１の分量やプレート３とプレート３の間隔については、実施例に限られるものではなく、カラス類の種類や性質等を勘案して適宜に設定できる。
また、忌避剤１の送電鉄塔Ａ内での設置場所についても、腕金主材２１や塔体内対角材２４の上面に設置してもよい。
また、プレート３を使用する場合、予めプレート３をマグネットシート３１により水平材２の上面に取り付け、その後にプレート３の上面に忌避剤１を絞りしたり、押出したりしてもよい。
また、プレート３を水平材２の上面に取り付けるための取付手段についても、実施例のマグネットに限らず、図示省略したが、ボルト・ナットによる締結、ビス止め、バンド締結等、一般に用いられている取付手段を使用できる。
又、実施例ではプレート３を用いて忌避剤１を設置したが、プレート３を用いず直接に忌避剤を水平材の上面に付着（塗布を含む）させてもよい。この場合、忌避剤を連続線状に付着させていくことが可能になる。
【００２２】
次に、図４は本発明のカラス類忌避方法を適用した電柱の概略図である。
この電柱Ｂの対するカラス類忌避方法についても、前記した送電鉄塔Ａに対するカラス類忌避方法と同様に、忌避剤１を電柱Ｂの電線支持点部付近ｂにおける水平材２の上面に設置させるもので、この場合、電柱Ｂの電線支持点部付近ｂの水平材とは、図４おいて破線で囲んだ領域内の腕金主材２５を含む。
【図面の簡単な説明】
【００２３】
【図１】本発明のカラス類忌避方法を適用した送電鉄塔の概略図である。
【図２】そのカラス類忌避方法の施工例を示す要部の平面図である。
【図３】そのカラス類忌避方法に使用したプレートの斜視図である。
【図４】本発明のカラス類忌避方法を適用した電柱の概略図である。
【符号の説明】
【００２４】
Ａ  送電鉄塔
ａ  電線支持点部付近
Ｂ  電柱
ｂ  電線支持点部付近
１  忌避剤
２  水平材
２０  塔体
２１  腕金主材（水平材）
２２  腕金側面材（水平材）
２３  塔体内腕金主材（水平材）
２４  塔体内対角材（水平材）
２５  腕金主材（水平材）
３  プレート
３０  周壁
３１  マグネットシート（取付手段）
【図１】
2007020457.tif 000003
【図２】
2007020457.tif 000004
【図３】
2007020457.tif 000005
【図４】
2007020457.tif 000006